(57)【要約】【課題】便器の利用者が便器周囲の機器に手を触れることなく、脱臭及び清浄を自動的に行なうことの出来る大便器用洗浄装置の提供。【解決手段】オゾン（Ｏ３）を発生する装置（１）と、芳香剤を収容する芳香剤収容装置（２）と、芳香剤収容装置（２）の開口を開放し閉鎖する開閉装置（３）と、空気流を発生する装置（４）と、制御装置（５）とを有し、該制御装置（５）は、利用者がトイレに入室した場合に徐放された芳香剤を連行した気体流をトイレの上方の空間（Ｅ１）に放出する機能と、利用者がトイレ（１００）から退室した際には芳香剤を連行した気体の放出を停止してオゾンを大量に含む気体をトイレ下方の空間（Ｅ２）に放出する機能とを有している。【選択図】図１
2009281096.tif 000002
【特許請求の範囲】
【請求項１】
オゾンを発生する装置（１）と、芳香剤を収容する芳香剤収容装置（２）と、芳香剤収容装置（２）の開口を開放し閉鎖する開閉装置（３、３Ｍ）と、空気流を発生する装置（４）と、制御装置（５）とを有し、該制御装置（５）は、自動流水装置（６）が感知した利用者のトイレ（１００）への入室及び退室を示す信号と大便に利用したか小便に利用したかの判断信号を受信する機能と、利用者がトイレ（１００）に入室した場合に徐放された芳香剤を連行した気体流をトイレ（１００）の上方の空間（Ｅ１）に放出する機能と、利用者がトイレ（１００）から退室した際には芳香剤を連行した気体の放出を停止してオゾンを大量に含む気体をトイレ下方の空間（Ｅ２）に放出する機能と、前記判断信号に基づいてオゾンを大量に含む気体をトイレ下方の空間（Ｅ２）に放出する時間を決定する機能とを有していることを特徴とする大便器用洗浄装置。
【請求項２】
前記制御装置（５）は、利用者がトイレ（１００）を退室してから所定時間が経過する間に利用者がトイレ（１００）に入室しない場合にはオゾンを大量に含む気体をトイレ下方の空間（Ｅ２）に放出する機能を有する請求項１の大便器用洗浄装置。
【請求項３】
前記制御装置（５）は、オゾンを大量に含む気体をトイレ下方の空間（Ｅ２）に放出する際に、所定の放出時間が経過してオゾンを大量に含む気体の放出を停止するべき時点で、当該オゾンを大量に含む気体の放出が停止されない場合には、故障が生じたと判断して強制終了する機能を有している請求項１、２の何れかの大便器用洗浄装置。
【請求項４】
オゾンを発生する装置（１）と、空気流を発生する装置（４）と、制御装置（５）とを有し、該制御装置（５）は、自動流水装置（６）が感知した利用者のトイレ（１００）からの退室を示す信号と大便に利用したか小便に利用したかの判断信号を受信する機能と、利用者がトイレ（１００）から退室した際にオゾンを大量に含む気体をトイレ下方の空間（Ｅ２）に放出する機能と、前記判断信号に基づいてオゾンを大量に含む気体をトイレ下方の空間（Ｅ２）に放出する時間を決定する機能とを有していることを特徴とする大便器用洗浄装置。
【請求項５】
脱着可能な芳香剤用ユニット（７２０）を備え、該芳香剤用ユニット（７２０）は、芳香剤を収容する芳香剤収容装置（２）と、芳香剤収容装置（２）の開口を開放し閉鎖する開閉装置（３、３Ｍ）とを有しており、前記制御装置（５）は、自動流水装置（６）が感知した利用者のトイレ（１００）への入室信号を受信する機能と、利用者がトイレ（１００）に入室した場合に徐放された芳香剤を連行した気体流をトイレの上方の空間（Ｅ１）に放出する機能と、利用者がトイレ（１０）から退室した際には芳香剤を連行した気体の放出を停止する機能を有している請求項４の大便器用洗浄装置。
【発明の詳細な説明】
【技術分野】
【０００１】
本発明は、個室式のトイレに用いられる大便器に関する。より詳細には、大便器の消臭或いは脱臭、滅菌、除菌或いは消毒を自動化する技術に関する。
【背景技術】
【０００２】
芳香剤によりトイレ内の悪臭を除去して、いわゆる「トイレのアニメティ」を実現するために、芳香及び洗浄作用を有する薬剤を貯水タンク等に設ける商品が、従来から種々存在する。
しかし、その様な芳香による脱臭、消臭は、薬剤が貯水タンク内の水に常時溶解することにより行われるものであり、薬剤の消費が早い。
また、洗浄水の経路中に薬剤を配置して、洗浄水が流れる際に薬剤が溶解して脱臭、消臭を行なうタイプのものが存在するが、その様なタイプにおいても当該薬剤の消費が早い。
【０００３】
さらに、大便器周辺の各種機器のスイッチやレバー等を利用者が操作しない限り水が流れない構造を採用している場合が多く、利用者がスイッチやレバー等に手を触れることなく、自動的することが困難である。
それに加えて、貯水タンク内の水が流れない箇所、例えば大便器の便座シートに便や汚れが付着した場合には、清浄化が困難である。
さらに、完全に自動化されたトイレを新たに製造するには、多額の開発費が必要となり、これもまた実現が困難である。
【０００４】
ここで、従来技術において、大便器を設置した個室（トイレ）をユーザーが使用したことを感知する技術と、小便に利用したか大便に利用したかの判断する技術は、既に存在している。
従来技術におけるその様な「感知（トイレをユーザーが使用したことの感知）」する技術及び「判断（小便か大便かの判断）」する技術を利用して、利用者が手を触れることなく「芳香による脱臭、消臭」及び「便座及び便座シートの清浄化」を自動的に行なう要請が存在する。
しかし、その様な要請に応えることが出来る従来技術は、未だに提案されていない。
【０００５】
その他の従来技術として、例えば、貯水タンク内に薬剤収容部を設け、貯水タンクに供給される水の一部が薬剤収容部に供給されて薬剤を溶解し、薬剤収容部を設けた箇所への水の供給が途絶えた際に溶解した薬剤を貯水タンク内に流出する技術が提案されている（特許文献１参照）。
しかし、係る技術（特許文献１）は、薬剤収容部が貯水タンク内に設けられているので、貯水タンク内の水により薬剤が常時溶解され、薬剤が早期に消費されてしまうという問題を有している。
また、上述した従来技術の各種問題点を解消することが出来ない。
【特許文献１】特開２００３−２４７２５６号公報
【発明の開示】
【発明が解決しようとする課題】
【０００６】
本発明は上述した従来技術の問題点に鑑みて提案されたものであり、便器を使用したことを感知し、小便をしたか大便をしたかの判断を行なう技術を利用して、便器の利用者が便器周囲の機器に手を触れることなく、脱臭（或いは、消臭）及び清浄を自動的に行なうことの出来る大便器用洗浄装置の提供を目的としている。
【課題を解決するための手段】
【０００７】
本発明の大便器用洗浄装置は、オゾン（Ｏ３）を発生する装置（オゾナイザー１及び高圧電源）と、芳香剤を収容する芳香剤収容装置（芳香剤容器２）と、芳香剤収容装置（芳香剤容器２）の開口を開放し閉鎖する開閉装置（芳香剤容器の自動開閉蓋３）と、空気流を発生する装置（ファン４）と、制御装置（５）とを有し、該制御装置（５）は、自動流水装置（自動流水器６）が感知した利用者のトイレ（１００）への入室及び退室を示す信号と大便に利用したか小便に利用したかの判断信号を受信する機能と、利用者がトイレ（１００）に入室した場合に徐放された芳香剤を連行した気体（エアー）流をトイレの上方の空間（Ｅ１）に放出する機能と、利用者がトイレ（１００）から退室した際には芳香剤を連行した気体の放出を停止してオゾンを大量に含む気体（オゾンエアー）をトイレ下方の空間（Ｅ２）に放出する機能と、前記判断信号に基づいてオゾンを大量に含む気体（オゾンエアー）をトイレ下方の空間（Ｅ２）に放出する時間を決定する機能とを有していることを特徴としている（請求項１）。
ここで、本発明の大便器用洗浄装置における「洗浄」なる文言は、本明細書においては、滅菌、除菌、有機物の酸化、消毒を包含する意味で用いられている。
【０００８】
本発明において、前記制御装置（５）は、利用者がトイレ（１００）を退室してから所定時間（セルフクリーニング待機の所定時間）が経過する間に利用者がトイレ（１００）に入室しない場合（トイレを利用しない時間がセルフクリーニング待機の所定時間以上経過した場合）にはオゾンを大量に含む気体（オゾンエアー）をトイレ下方の空間（Ｅ２）に放出する機能（セルフクリーニング機能）を有するのが好ましい（請求項２）。
【０００９】
また本発明において、前記制御装置（５）は、オゾンを大量に含む気体（オゾンエアー）をトイレ下方の空間（Ｅ２）に放出する際に、所定の放出時間が経過してオゾンを大量に含む気体（オゾンエアー）の放出を停止するべき時点で、当該オゾンを大量に含む気体（オゾンエアー）の放出が停止されない場合（ステップＳ２４がＮＯ）には、故障が生じたと判断して（本発明に係る大便器用洗浄装置を）強制終了する機能を有しているのが好ましい（請求項３）。
【００１０】
或いは、本発明の大便器用洗浄装置は、オゾン（Ｏ３）を発生する装置（オゾナイザー１及び高圧電源）と、空気流を発生する装置（ファン４）と、制御装置（５）とを有し、該制御装置（５）は、自動流水装置（自動流水器６）が感知した利用者のトイレ（１００）からの退室を示す信号と大便に利用したか小便に利用したかの判断信号を受信する機能と、利用者がトイレ（１００）から退室した際にオゾンを大量に含む気体（オゾンエアー）をトイレ下方の空間（Ｅ２）に放出する機能と、前記判断信号に基づいてオゾンを大量に含む気体（オゾンエアー）をトイレ下方の空間（Ｅ２）に放出する時間を決定する機能とを有していることを特徴としている（請求項４）。
【００１１】
係る大便器用洗浄装置（請求項４の大便器用洗浄装置）において、前記大便器用洗浄装置（請求項４の大便器用洗浄装置）に脱着可能な芳香剤用ユニット（７２０）を備え、該芳香剤用ユニット（７２０）は、芳香剤を収容する芳香剤収容装置（芳香剤容器２）と、芳香剤収容装置（芳香剤容器２）の開口を開放し閉鎖する開閉装置（芳香剤容器の自動開閉蓋３、開閉駆動装置３Ｍ）とを有しており、前記制御装置（５）は、自動流水装置（自動流水器６）が感知した利用者のトイレ（１００）への入室信号を受信する機能と、利用者がトイレ（１００）に入室した場合に徐放された芳香剤を連行した気体（エアー）流をトイレの上方の空間（Ｅ１）に放出する機能と、利用者がトイレ（１００）から退室した際には芳香剤を連行した気体の放出を停止する機能を有しているのが好ましい（請求項５）。
【００１２】
係る大便器用洗浄装置（請求項４、５の大便器用洗浄装置）においても、前記制御装置（５）は、利用者がトイレ（１００）を退室してから所定時間（セルフクリーニング待機の所定時間）が経過する間に利用者がトイレ（１０）に入室しない場合（トイレを利用しない時間がセルフクリーニング待機の所定時間以上経過した場合）にはオゾンを大量に含む気体（オゾンエアー）をトイレ下方の空間（Ｅ２）に放出する機能（セルフクリーニング機能）を有するのが好ましい。
また、前記制御装置（５）は、オゾンを大量に含む気体（オゾンエアー）をトイレ下方の空間（Ｅ２）に放出する際に、所定の放出時間が経過してオゾンを大量に含む気体（オゾンエアー）の放出を停止するべき時点で、当該オゾンを大量に含む気体（オゾンエアー）の放出が停止されない場合（ステップＳ２４がＮＯ）には、故障が生じたと判断して（本発明に係る大便器用洗浄装置を）強制終了する機能を有しているのが好ましい。
【００１３】
本発明において、対象とするのは大便器であり、いわゆる「和式」便器、「洋式」便器の双方に適用可能である。
ただし、個室ではないトイレ、例えば複数の男性用小便器を配置したトイレは、本発明の対象ではない。
【発明の効果】
【００１４】
上述する構成を具備する本発明によれば、利用者がトイレ（１００）から退室した際には芳香剤を連行した気体の放出を停止してオゾンを大量に含む気体（オゾンエアー）をトイレ下方の空間（Ｅ２）に放出する様に構成されているので、放出されたオゾンが大便器（１１）の周辺に飛散した有機物と反応して、当該有機物を迅速に酸化して滅菌し、腐敗を停止させて悪臭を遮断する。その結果、オゾンにより酸化された有機物の除菌、滅菌、消毒、消臭がおこなわれ、有機物が飛散した大便器（１１）周辺の環境を清浄化する。それに加えて、大便器（１１）の便座シートも除菌、滅菌、消毒され清浄化される。
また、本発明の大便器用洗浄装置は、作動用の電源が確保できるのであれば、大便器が装備されている個室（トイレ）内の任意の箇所へ極めて簡単に取り付けることが可能である。そのため、既存のトイレを大々的に改造することなく、容易に取り付けることが出来る。
【００１５】
ここで、オゾンを大量に含む気体（オゾンエアー）が放出されるのは利用者がトイレ（１０）から退室した後なので、利用者がオゾンを吸引してしまうことは防止される。
また、自動流水装置（自動流水器６）による大便に利用したか小便に利用したかの判断信号に基づいて、オゾンを大量に含む気体（オゾンエアー）をトイレ下方の空間（Ｅ２）に放出する時間を決定する様に構成されているので、適正流量のオゾンが放出される。そのため、オゾンの量が不足して滅菌、除菌、消毒或いは有機物の酸化が不十分であるという事態が防止されると共に、オゾンが過剰に放出され、残留したオゾンを利用者が吸引してしまう事態も回避することができる。
【００１６】
また本発明によれば、利用者がトイレ（１００）に入室した場合に徐放された芳香剤を連行した気体（エアー）流をトイレの上方の空間に放出するので、利用者が便器（１１）を利用している間、大便器（１１）が配置された個室内は芳香が漂う快適な空間となる。
そして、利用者がトイレ（１００）から退室した際には芳香剤を連行した気体の放出を停止するので、芳香剤が必要以上に消費されることはなく、芳香剤の消費速度が鈍化し、同一容量であれば、従来の芳香剤に比較して、芳香剤が揮発してなくなってしまうまでの時間（芳香剤の寿命）が長期間化され、新たな芳香剤を補填する頻度を少なくすることが出来る。
【００１７】
本発明において、利用者のトイレ（１００）への入室及び退室を感知する機能と、大便に利用したか小便に利用したかを判断する機能を有する自動流水装置（自動流水器６）を備えているが、係る自動流水装置（６）としては、公知、市販のもの、例えば本出願人の先願に係る特開２００７−２１８０４０号公報で開示された洗浄装置を用いることが可能である。
換言すれば、本発明によれば、公知、市販の自動流水装置（自動流水器６）をそのまま適用することが出来るので、大幅な工事を伴うこと無く、既存のトイレの設備をそのまま利用することが出来る。そのため、導入する際のコストを極めて低く抑えることが可能である。
【００１８】
本発明において、利用者がトイレ（１００）を退室してから所定時間（セルフクリーニング待機の所定時間）が経過する間に利用者がトイレ（１００）に入室しない場合（トイレを利用しない時間がセルフクリーニング待機の所定時間以上経過した場合）に、オゾンを大量に含む気体（オゾンエアー）をトイレ下方の空間に放出する（セルフクリーニングを行なう）様に構成すれば（請求項２）、大便器（１１）内壁面における側面部分（便器不使用時には、水に接触していない部分）において、当該側面部分に付着している有機物にオゾンが直接接触して反応し、有機物の腐敗を防止する。そのため、大便器（１１）内壁面における側面部分に付着した有機物が乾燥することに起因して、悪臭が発生することを防止できる。
【００１９】
また本発明において、所定の放出時間が経過してオゾンを大量に含む気体（オゾンエアー）の放出を停止するべき時点で、当該オゾンを大量に含む気体（オゾンエアー）の放出が停止されない場合（ステップＳ２４がＮＯ）に、故障が生じたと判断して本発明に係る大便器用洗浄装置を強制終了する様に構成すれば（請求項３）、強制終了と同時にオゾンの発生も遮断されるので、トイレ（１００）に大量のオゾンが残存することが防止される。そして、トイレ（１０）に入室した利用者が、個室内に残存しているオゾンを大量に吸引してしまうという不都合を回避することが出来る。
【００２０】
さらに本発明の大便器用洗浄装置において、オゾン（Ｏ３）を大量に含む気体（オゾンエアー）をトイレ下方の空間（Ｅ２）に放出する構成は必須の構成要件であるが、芳香剤を連行した気体（エアー）流をトイレの上方の空間（Ｅ１）に放出する構成を選択的に脱着可能にすれば（請求項４、５）、趣味性或いは嗜好性が強く、好みの問題が大きい芳香剤の放出の有無を、本発明の大便器用洗浄装置の設置に際して、利用者によって選択させることが出来る。
その結果、構成が簡略化され、製造コストを低く抑えることが可能になる。
【発明を実施するための最良の形態】
【００２１】
以下、添付図面を参照して、本発明の実施形態について説明する。
先ず、図１〜図７に基づいて第１実施形態を説明する。
図１、図２において、第１実施形態を適用したトイレは、全体を符号１００で示されている。トイレ１００は周囲から仕切られた個室として構成されており、大便器１１が設けられており、自動流水器６と第１実施形態に係る大便器用洗浄装置１０とを有している。
ここで、自動流水器６は、利用者がトイレ１００に入室して大便器１１を使用したことを感知し、小便をしたか大便をしたかを判断する。そして、係る判断結果に基づいて、利用者がトイレ１００を退室した際に、大便器１１に対して適切な流量の洗浄水を流す様に構成されている。
【００２２】
係る自動流水器６として、図示の実施形態においては、公知の市販品をそのまま適用することが出来る。
例えば、本出願人の先願に係る特開２００７−２１８０４０号公報で開示された洗浄装置を用いることが可能である。もちろん、上述した自動流水器は特開２００７−２１８０４０号公報の装置に限定されるものではない。
図示の実施形態で用いられる自動流水器６は、利用者がトイレ１００に存在するか否か、或いは利用者が大便器１１を利用しているか否かを判断するためのセンサも内蔵している。係るセンサとしては、赤外線方式のアクティブセンサやパッシブセンサ、利用者から発せされる赤外線や体温を検知するセンサ、その他の公知、市販のセンサが適用可能である。
また、図示の実施形態における自動流水器６は、直流電源を内蔵しているか、或いは、図示しない商用電源と電源ラインＬ１によって接続されている。そして、ＡＣ／ＤＣ変換装置を内蔵している。
【００２３】
図１で示すように、自動流水器６と大便器用洗浄装置１０とは、ケーブルＬ２で接続されている。このケーブルＬ２を介して、自動流水器６から「大便器１１を使用したことの感知」、「小便をしたか大便をしたかの判断結果」についての信号（情報）が、「コマンド」として大便器用洗浄装置１０の制御ユニット５に送られる。
それと共に、ケーブルＬ２は、大便器用洗浄装置１０の駆動電流を、自動流水器６に内蔵された直流電源或いはＡＣ／ＤＣ変換装置から供給する電源ケーブルとしても作用する。
【００２４】
大便器用洗浄装置１０は、ケーシング７を備えている。
ケーシング７内の下方領域にはオゾン発生器１と制御ユニット５が配置され、上方領域には芳香剤収容装置（以下、「芳香剤容器」と記載する）２が配置されている。
図１の上下方向について、オゾン発生器１及び制御ユニット５と、芳香剤容器２との間の領域には、送風ファン４が設けられている。
ケーシング７の外側表面には、図１の上下方向において、オゾン発生器１及び制御ユニット５と、送風ファン４との間の領域に相当する位置に、オゾン（Ｏ３）を大量に含む気体（オゾンエアー）の吹出口７３Ｂが形成されている。
【００２５】
芳香剤容器２の上端部には、芳香剤放散用の自動開閉蓋（以下、「芳香剤容器の蓋」と記載する）３が設けられており、芳香剤容器の蓋３の上方には、芳香剤吹出口７３Ａが形成されている。
なお、芳香剤容器の蓋３の自動開閉機構と、オゾンエアーの吹出口７３Ｂと、芳香剤吹出口７３Ａとについては、図５以降を参照して後述する。
ケーシング７は複数の部材で構成されているが、ケーシングの詳細や、ケーシング内の空気の流れ等についても、図５以降を参照して後述する。
【００２６】
制御ユニット５は、「芳香剤容器の蓋の開閉制御」を行なう機能と、「便器使用後の消毒制御」を行なう機能と、「トイレの非利用時間帯におけるセルフクリーニング制御」を行なう機能と、「安全運転制御」を行なう機能とを備えている。
【００２７】
「芳香剤容器の蓋の開閉制御」については、自動流水器６（より詳細には、自動流水器６に設置された図示しないセンサ）によってトイレが利用されている旨が検知されると、トイレ１００に利用者が入室してから退出するまでの間、制御ユニット５は、芳香剤容器２の自動開閉蓋３を開放する制御を行なう。
「便器使用後の消毒制御」については、自動流水器６（より詳細には、自動流水器６に設置された図示しないセンサ）によって大便、小便の流水完了信号を受信したら、制御ユニット５はオゾン発生装置１及び送風ファン４に制御信号を送り、大便、小便の各々について設定された時間だけオゾンを発生させ、送風ファン４を駆動してオゾンを大量に包含する空気（オゾンエアー）を放出せしめる。
ここで、大便、小便の各々について設定されたオゾンを発生する時間は、例えば大便であれば９０秒間、小便であれば３０秒間である。
また、「便器使用後の消毒制御」における「消毒」なる文言は、除菌、滅菌、消毒、有機物の酸化等の意味を包含している。
【００２８】
「トイレの非利用時間帯におけるセルフクリーニング制御」では、制御ユニット５は、利用者が退出した後、第１の所定時間（セルフクリーニング待機時間）が経過したら、第２の所定時間（セルフクリーニング設定時間）だけオゾンエアーを放出させると共に、送風ファン４を駆動させる。すなわち、長時間（第１の所定時間或いはセルフクリーニング待機時間よりも長い時間）に亘ってトイレが使用されなかった場合（例えば、３時間に亘ってトイレが使用されなかった場合）には、自動的にセルフクリーニングを行なう。セルフクリーニングの詳細については、図４を参照して後述する。
【００２９】
「安全運転制御」について、前記「便器使用後の消毒制御」の最中に、換言すれば便器利用後にオゾンを大量に含む気体をトイレ内に放出している間に、次の利用者がトイレに入室した場合は、当該次の利用者はトイレ内に吹き込まれているオゾンを吸い込んでしまうことになり、好ましくはない。そのため制御ユニット５は、オゾン発生装置１でオゾンを発生している最中に次の利用者がトイレに入室した場合、速やかにオゾンの発生を停止する制御を行なう。
また、制御ユニット５は、機器の故障等の要因で、オゾンの発生が所定時間以上続いても停止しない場合には、図示の実施形態に係る大便器用洗浄装置１０の作動を強制的に中止させて、例えばＬＥＤランプ等の表示手段によって故障を知らせる制御を行なう。
【００３０】
上述したように、大便器用洗浄装置１０は、トイレ利用者がトイレ１００から出た時（退室した際）、所定時間だけオゾンを放出するように構成されている。そして、放出されたオゾンは大便器１１の周辺に飛散した有機物質（小便等）と反応し、有機物質を急速に酸化することにより、滅菌、除菌或いは消毒と、消臭とを行なう。
それに加えて、大便器１１の便座シートにオゾンが接触することによって、便座シートが滅菌、除菌或いは消毒されて、清浄化される。すなわち、オゾンが放出されることにより、大便器１１及びその周辺環境が、常時、清浄化される。
【００３１】
図２において、芳香剤は個室（トイレ）１００の上方空間Ｅ１に放出され、オゾンエアーは個室１００の下方の領域Ｅ２へ放出される。すなわち、芳香剤の放出方向と、オゾンエアーの放出方向は、上下方向について逆方向となっている。
送風ファン４（図１参照）のモータを直流モータ（ＤＣモータ）とし、そのＤＣモータに供給される直流電流の極性を切り換えることにより、送風ファン４の回転方向を正回転方向と逆回転方向に切り換えることが出来る。そして、芳香剤放出時とオゾンエアー放出時とで送風ファンの回転方向を（正回転方向と逆回転方向に）切り換えれば、単一のＤＣモータにより、芳香剤の放出（上方への放出）とオゾンエアーの放出（下方への放出）の双方に対応できる。
【００３２】
芳香剤、消臭剤はアルコール揮発性であり、揮発した状態では上方へ浮遊し、トイレ１００の上方の空間Ｅ１中を漂う。一方、オゾンは空気よりも分子量が大きいため、下方へ沈降する。
図２において、符号Hで示す境界線の上方領域Ｅ１が芳香剤及び／又は消臭剤が浮遊している空間であり、境界線Hの下方の領域Ｅ２がオゾンを多量に包含するエアー（オゾンエアー）が放出される領域である。
【００３３】
芳香剤及び／又は消臭剤が浮遊している空間Ｅ１と、所定時間だけオゾンが存在する領域Ｅ２との境界は、図２で示す境界線Ｈの様に明確な境界として存在する訳ではなく、非常にあいまいな境界である。
その様な境界の大体の目安は、利用者の鼻の位置（上下方向位置）であり、利用者の鼻よりも上方の空間は芳香剤及び／又は消臭剤が浮遊している空間Ｅ１となり、利用者の鼻よりも下方の空間はオゾンが放出される領域Ｅ２となる。
【００３４】
上述したように、オゾンエアー吹出口７３Ｂ（図１参照）から吹き出したオゾンエアーは、図２において符号Ｅ２で示す領域、すなわち大便器１１内、便座、便器周囲の領域（男性が小便をした際に、小便の飛沫が飛び散る領域）に滞留して、当該領域に飛び散った例えば小便の様な有機物と反応して、当該有機物を急激に酸化し、以って、消毒作用（除菌作用、滅菌作用、有機物の酸化作用を含む）及び消臭作用を奏する。
なお、領域Ｅ２と境界線Ｈとの間の領域（図２でＥ３と表示されている領域）には、芳香剤（或いは消臭剤）とオゾンエアーとが混在している。
なお図２において、符号１２はトイレのドアを示している。
【００３５】
芳香剤容器の蓋３は、利用者がトイレにいる時にのみ開放される。
利用者がトイレ１００に入室していない時には、芳香剤を徐放しても利用者が方向を認識せず、無駄になってしまうので、芳香剤容器の蓋３は閉鎖されている。そして、利用者がトイレ１００に入室していない時に芳香剤容器の蓋３を閉鎖することにより、揮発性の芳香剤の無駄使い（浪費）が防止され、芳香剤がなくなるまでの期間が長期化され、芳香剤を補填する頻度が減少する。
【００３６】
大便器１１の図示しない内壁面における側面部分（便器不使用時には、水に接触していない部分）が乾燥すると、大便に包含される有機物の酸化が進行し、悪臭が発生する。これに対して、大便器１１の内壁面における側面部分における有機物の酸化を防止すれば、悪臭を防止できる。
そのため、大便器１１の内壁面における図示しない側面部分が乾燥するのに十分な時間（セルフクリーニング待機時間）だけ、大便器１１が不使用であることを検知した場合に（そのトイレがセルフクリーニング設定時間だけ不使用である場合に）、大便器１１内にオゾンを放出して「セルフクリーニング」を行なう。
なお、「セルフクリーニング待機時間」は、大便器１１の内壁面における図示しない側面部分が乾燥するのに十分な時間であり、オゾンＯ３を放出する頻度が過剰にならない程度であれば、任意に設定することが出来る。
【００３７】
係る「セルフクリーニング」では、予め決定された時間（セルフクリーニング設定時間）だけ、オゾンを大量に含むエアーを大便器用洗浄装置１０から大便器１１に向かって放出し、大便器１１の内壁面における側面部分に付着した有機物にオゾンを接触させる。すると、オゾンにより強烈な酸化反応が発生し、大便器１１の内壁面における側面部分に付着した有機物を急激に酸化する。係る急激な酸化反応により、大便器１１の内壁面における側面部分に付着した有機物はそれ以上腐敗しなくなり、腐敗による悪臭も防止される。セルフクリーニングについては、図４を参照して後述する。
ここで、オゾンを大量に含むエアーを大便器用洗浄装置１０から大便器１１に向かって放出する時間、すなわち「セルフクリーニング設定時間」については、大便器１１の内壁面における側面部分に付着した有機物を、オゾンにより急激に酸化し、除菌、滅菌、消毒及び消臭するのに十分な時間であれば、任意に設定することが出来る。
なお、セルフクリーニング中は、大便器１１の蓋１１Ｒは自動的に開放されるように構成されていることが好ましい。大便器１１の蓋１１Ｒが自動的に開放されていれば、セルフクリーニング中に大便器用洗浄装置１０から大便器１１に向かって放出されるオゾンエアーが、大便器１１の内壁面へ確実に到達するからである。
【００３８】
ケーシング７に設けられたオゾンエアー吹出口７３Ｂは、オゾンを大量に含むオゾンエアーが必ず大便器１１の内壁面に到達するように、オゾンエアーの吹き出し方向が上下方向及び左右方向について、調節可能に構成されている。
オゾン噴射方向の調節機構としては、例えば可動式のルーバー９を用いることが好ましい。
【００３９】
次に、図３を主として参照しつつ、自動流水器６における制御について説明する。
図３において、自動流水器６の図示しない制御装置は、人体検知手段（図示は省略）からの情報により、利用者が入室したか否か、或いは、入室して大便器１１の便座に着座したか否かを判断する（ステップＳ１）。
利用者が入室（或いは、大便器１１の便座に着座）するまで、自動流水器６は待機し（ステップＳ１がＮＯのループ）、利用者が入室（或いは、入室して大便器１１の便座に着座）したならば（ステップＳ１がＹＥＳ）、ステップＳ２に進む。
【００４０】
ステップＳ２では、自動流水器６は利用時間の測定を開始すると共に、大便器用洗浄装置１０の制御ユニット５に、トイレ１００の利用が開始された旨（利用者がトイレ１００に入室した旨、或いは、利用者が大便器１１の便座に着座した旨）を、制御信号（或いはコマンド）として送信する。そしてステップＳ３に進む。
ステップＳ３では、利用者がトイレ１００から退室（或いは便座から離脱）するまで待機しており(ステップＳ３がＮＯのループ)、退室（或いは便座から離脱）したならば(ステップＳ３がＹＥＳ)、ステップＳ４に進む。
【００４１】
ステップＳ４では、利用者がトイレ１００から退室（或いは、大便器１１の弁座から離脱）した時点で大便器１１の利用時間の測定を終了する。それと共に自動流水器６は、大便器用洗浄装置１０の制御ユニット５に、トイレ１００の利用が終了した旨（利用者がトイレ１００から退室した旨、或いは、利用者が大便器１１の便座から離脱した旨）を、制御信号（或いはコマンド）として送信する。そして、ステップＳ５に進む。
ステップＳ５では、ステップＳ２における利用時間の測定開始時間と、ステップＳ５における利用時間の測定終了時間とから、トイレ１００の利用時間を演算する。そして、トイレ１００の利用時間から、自動流水器６は、トイレ１００が大便に利用されたのか、或いは小便に利用されたのかを判定する。係る判定結果により、自動流水器６は大便器１１で流す流水量を決定すると共に、大便、小便の判定結果を大便器用洗浄装置１０の制御ユニット５に送る。
ステップＳ６では、自動流水器６は大便、小便の判定結果に従って、洗浄水を大便器１１内に供給し、流水を行なう。流水が終わったなら、自動流水器６は、大便器用洗浄装置１０の制御ユニット５に流水が終了した旨の信号を出力し(ステップＳ７)、ステップＳ８に進む。
【００４２】
ステップＳ８では、ステップＳ１がＹＥＳからステップＳ７までの上述した処理に従って、蓄積された各種データ（たとえば、トイレの使用回数等のデータ）を更新する。
ここで、芳香剤の消費量はトイレの利用回数に比例する。すなわち、ステップＳ８で更新されたデータの内、トイレの利用回数に関するデータから、芳香剤の使用限界（寿命）或いは交換時期を正確に予測することが出来る。そのため、芳香剤の交換するか否かを判断するに当たっては、ステップＳ８で蓄積されたトイレの利用回数に関するデータに基づいて、判断されることになる。
【００４３】
上述した様に、自動流水器６は公知の市販品をそのまま適用することが可能であり、適用される自動流水器の種類如何によっては、図３で示す制御とは異なる制御を行なう場合も存在することを付言する。
【００４４】
次に、図４を主として参照しつつ、大便器用洗浄装置１０の制御について説明する。
図４のステップＳ１１において、大便器用洗浄装置１０は、トイレ１００の利用が開始されたか否かについて、自動流水器６から利用開始信号が入力されたか否かによって判断している。
自動流水器６から利用開始信号が入力されたならば(ステップＳ１１がＹＥＳ)、トイレ１００の利用が開始されたと判断して、ステップＳ１２に進む。
一方、自動流水器６から利用開始信号が入力されていないならば(ステップＳ１１がＮＯ)、トイレ１００は利用されていないと判断して、ステップＳ２８まで進む。
【００４５】
自動流水器６から利用開始信号が入力されたならば(ステップＳ１１がＹＥＳ)、ステップＳ１２において、セルフクリーニング待機時間の計測を終了する。セルフクリーニング待機時間の計測を終了することにより、「トイレ１００がセルフクリーニング待機時間以上に亘って利用されていない」と判断されることはなく、セルフクリーニングは開始されない。それと共に、ステップＳ１２では、芳香剤容器の蓋３を開放して、トイレ１００内の上方の空間へ芳香剤を放出(徐放)する（ステップＳ１３）。自動流水器６から利用開始信号が入力された(ステップＳ１１がＹＥＳ)のであれば、トイレ１００内には利用者が存在するので、芳香剤を放出（徐放）することにより、トイレ１００内の利用者は芳香を感知することが出来る。
【００４６】
次のステップＳ１４では、制御ユニット５は、自動流水器６からの利用終了信号を入力されたか否かを判断する。自動流水器６からの利用終了信号が入力されなければ（ステップＳ１４がＮＯのループ）、芳香剤を放出した状態で待機する。
自動流水器６からの利用終了信号を入力したならば(ステップＳ１４がＹＥＳ)、トイレ１００内に利用者がいなくなった（いなくなる）と判断して、芳香剤を連行した気体の放出を停止する (ステップＳ１５)。
上述したように、トイレ１００内から利用者が退室する際に芳香剤放出を終了させるため、芳香剤を無駄に消費することがなくなり、芳香剤の消費速度が鈍化し、芳香剤交換の頻度が減少する。
【００４７】
ステップＳ１６では、自動流水器６から流水が終了した旨の信号が入力されたか否かを判断する。
自動流水器６から大便器１１における流水が終了した旨の信号が入力されていなければ、芳香剤放出を終了した状態（ステップＳ１５の状態）で待機する(ステップＳ１６がＮＯのループ)。
自動流水器６から大便器１１における流水が終了した旨の信号が入力されたならば(ステップＳ１６がＹＥＳ)、オゾンＯ３の放出を開始する(ステップＳ１７)。そして、ステップＳ１８に進む。
【００４８】
ステップＳ１８では、自動流水器６から送信された判定信号に基づいて、大便器１１が大便に利用されたのか、或いは小便に利用されたのかを判断する。
大便器１１が大便に利用された旨の判定信号が入力されたのであれば、ステップＳ１９に進み、オゾンＯ３の放出時間が長時間となるように設定し、例えば９０秒間オゾンＯ３を放出する。
一方、大便器１１が小便に利用された旨の判定信号が入力されたのであれば、ステップＳ２０に進み、オゾンＯ３の放出時間を短時間に設定して、例えば３０秒間オゾンＯ３を放出する。
【００４９】
この様にオゾンＯ３放出時間を適正に設定することによって、適正量のオゾンが放出され、オゾン量が不足しているため、大便器１１及びその周辺が十分に除菌、滅菌、消毒或いは有機物の酸化がされないという不都合や、オゾンの放出が過剰となってトイレ１００内にオゾンが残存し、次にトイレ１００を利用した利用者がオゾンを吸引してしまうという不都合が防止される。
ここでオゾンＯ３の放出時間は、上記した時間（大便の際に９０秒間、小便の際に３０秒間）に限定されるものではなく、大便器１１及びその周辺の除菌、滅菌、消毒或いは有機物の酸化に十分で、しかも、残存したオゾンＯ３によりトイレ１００の利用者（人体）に悪影響を及ぼさない様な時間であれば、自在に設定することが出来る。
なお、オゾンを大量に含む気体が放出されるのは、利用者がトイレを退出した後（自動流水器６からの利用終了信号を入力された後：ステップＳ１４がＹＥＳとなった後）であり、自動流水器６からの大便、小便の判定信号が入力された後（ステップＳ１８の判断後）であり、前述したとおり利用者がトイレ１００から退室した後であり、当該利用者がオゾンを吸引してしまう恐れはない。
【００５０】
ステップＳ２１では、所定のオゾンＯ３放出時間（例えば、大便では９０秒間、小便では３０秒間）が経過したか否かを判断する。所定のオゾンＯ３放出時間が経過したなら(ステップＳ２１がＹＥＳ)、ステップＳ２３まで進む。
一方、所定のオゾンＯ３放出時間が経過していなければ(ステップＳ２１がＮＯ)、ステップＳ２２で利用者がトイレ１００に入室したか否かを判断し、利用者がトイレ１００に入室した場合には(ステップＳ２２がＹＥＳ)、当該利用者がオゾンを吸引してしまうことを防止するため、オゾンエアーの放出を直ちに終了する（ステップＳ２３）。
所定のオゾンＯ３放出時間が経過しておらず(ステップＳ２１がＮＯ)、且つ、トイレ１００に利用者が入室しなければ(ステップＳ２２がＮＯ)、ステップＳ２１に戻り、ステップＳ２１が「ＮＯ」及びステップＳ２２が「ＮＯ」のループを繰り返し、所定の放出時間に亘ってオゾンＯ３を放出し続け、大便器１１及びその周辺を除菌、滅菌、消毒或いは有機物の酸化する。
【００５１】
ステップＳ１１において、上述したように、自動流水器６から利用開始信号が入力されておらず(ステップＳ１１がＮＯ)、トイレ１００は利用されていないと判断されてステップＳ２８に進んだならば、所定のセルフクリーニング待機時間が経過したか否かを判断する。
セルフクリーニング待機時間が経過していないなら(ステップＳ２８がＮＯ)、ステップＳ１１まで戻り、ステップＳ１１がＮＯ及びステップＳ２８がＮＯのループを繰り返す。
【００５２】
所定のセルフクリーニング待機時間が経過したならば(ステップＳ２８がＹＥＳ)、ステップＳ２９に進む。
ステップＳ２９では、セルフクリーニング待機時間の計測を終了し、セルフクリーニングを開始して、大便器１１の内壁面に向かってオゾンエアーを放出する(ステップＳ３０)。
ステップＳ３１では、予め定められたセルフクリーニング設定時間（セルフクリーニングの際にオゾンエアーを放出し続けるべき時間）が経過したか否かを判断する。オゾンエアーを放出し続けてセルフクリーニング設定時間を経過したならば(ステップＳ３１がＹＥＳ)、ステップＳ３２に進み、セルフクリーニングを終了する。そして、ステップＳ２３まで進む。
【００５３】
一方、セルフクリーニング設定時間を経過していないならば(ステップＳ３１がＮＯ)、ステップＳ３３に進み、オゾンエアーを放出している間に利用者がトイレ１００に入室したか否かを判断する。
オゾンエアーを放出している間に利用者がトイレ１００に入室した場合には(ステップＳ３３がＹＥＳ)、当該利用者がオゾンを吸引してしまうので、ステップＳ２３に進み、オゾンの放出を終了する。
オゾンエアーを放出している間に利用者がトイレ１００に入室しなければ(ステップＳ３３がＮＯ)、ステップＳ３１に戻り、ステップＳ３１がＮＯで且つステップＳ３３がＮＯのループを繰り返し、セルフクリーニングを続行する。
【００５４】
ステップＳ２３では、制御ユニット５は、オゾンエアーの放出を終了させるべく制御旬号を出力する。そしてステップＳ２４では、オゾンエアーの放出が停止されたか否かを判断する(ステップＳ２４)。
オゾンの放出が停止されたならば(ステップＳ２４がＹＥＳ)、ステップＳ２５に進み、セルフクリーニング待機時間の計測を開始する。
【００５５】
ステップＳ２４においてオゾンエアーの放出が停止されない場合には(ステップＳ２４がＮＯ)、大便器用洗浄装置１０に故障が発生したと判断して、大便器用洗浄装置１０の作動を強制終了させ（ステップＳ２６）、図示しないブザー、ディスプレイ、その他の報知手段によって、故障が発生した旨を報知して（ステップＳ２７）、制御を終了する。
係る報知（ステップＳ２７）が為された場合には、大便器用洗浄装置１０のメンテナンス担当者が報知を解除するまで、当該報知を続行するように構成されているのが好ましい。
ステップＳ２６の強制終了工程とステップＳ２７の報知工程とを制御に加えることにより、大便器用洗浄装置１０の故障によりオゾンＯ３が不必要に放出され続ける事態が防止されるので、利用者がオゾンを吸い込んでしまう可能性を減少させることが出来て、図示の実施形態に係る大便器用洗浄装置１０の安全性が向上する。
【００５６】
図５〜図７は、第１実施形態に係る大便器用洗浄装置１０をより詳細に示している。
図５は大便器用洗浄装置１０の内部を示しており、図５で示す状態では大便器用洗浄装置１０は停止している。
【００５７】
図５において、ケーシング７は、上方カバー７Ａ、下方カバー７Ｂ、ケーシングベース７Ｃとを有している。
上方カバー７Ａは、前面部７１Ａ（図５の左方）と天井部７２Ａとを有し、前面部７１Ａの上部には芳香剤吹出口７３Ａが形成されている。
下方カバー７Ｂは、前面部７１Ｂ（図５の左方）と、底部７２Ｂとを有し、前面部７１Ｂの下部と底部７２Ｂとの境界部分にはオゾン吹出口７３Ｂが形成されている。
オゾン吹出口７３Ｂには、可動式ルーバー９が取り付けられている。
【００５８】
ケーシングベース７Ｃは、バックプレート７１Ｃと、バックプレート７１Ｃの上下両端部であるフランジ部７２Ｃと、棚部７３Ｃと、水平仕切り部７４Ｃとを有している。
水平仕切り部７４Ｃは、上方カバー７Ａと下方カバー７Ｂとの境界に位置している。そして、下方カバー７Ｂの上端近傍と、水平仕切り部７４Ｃの上面とが、概略面一となっている。
【００５９】
水平仕切り部７４Ｃの中心には円形の通風口７５Ｃが形成され、水平仕切り部７４Ｃの下面側には、図示しない部材によって、ＤＣモータ駆動の送風ファン４が取り付けられている。ここで、送風ファン４の中心と、円形の通風口７５Ｃの中心とが整合するように、送風ファン４が水平仕切り部７４Ｃに取り付けられている。
また、水平仕切り部７４Ｃの下面であって、送風ファン４の周囲には、送風ファン４を包囲するように、例えば円筒状のフード４０が取り付けられている。
なお、図５の例では、送風ファン駆動用のＤＣモータは回転方向の切換（正回転・逆回転の切換）が可能なタイプであって、且つ、送風ファン４は風量の調節が可能なタイプのものが用いられている。
【００６０】
棚部７３Ｃは、水平仕切り部７４Ｃの上方に位置し、その上面に芳香剤容器２が載置されている。
図５では、芳香剤容器２は液状の芳香剤に対応しており、芳香剤貯留部２１と、その上端のネック部（狭口部）２２とを有している。ネック部２２の上方は、図示しない開口部が開放している。芳香剤容器２に貯留された液状の芳香剤芯は、開口部から揮発して徐放される。
ここで、芳香剤容器２の図示しない開口部から、例えばフェルト状の芯材２３が引き出されるように構成しても良い。その場合、芯材２３に浸み込んだ液状の芳香剤は、芯材２３のネック部２２の開口部より突出した部分から、揮発して徐放される。
【００６１】
図５で示す状態では、ネック部２２の上端に自動開閉蓋３が当接し、ネック部上方を密封している。
自動開閉蓋３はハット（帽子）形状の蓋部３１により構成されており、バックプレート７１Ｃ側（図５では右側）にヒンジ３ｈを有し、上方カバー７Ａの前面部７１Ａ側に通風孔３２が開口している。そして、自動開閉蓋３のヒンジ３１ｈ側（図５では右側）の端部には、開閉駆動装置（例えば、ソレノイド駆動の開閉機構）３Ｍが設けられている。
図示の実施形態では、開閉駆動装置３Ｍにおけるソレノイドの諸元は、例えば、１２Ｖ（ボルト）電源でストロークが８ｍｍ〜１０ｍｍである。
ここで、送風ファン４の送風量が十分で、且つ、自動開閉蓋３が充分軽量であれば、開閉機構３Ｍを省略することも可能である。
【００６２】
自動開閉蓋３の通風孔３２の下面側には、リード弁ＶがリベットＲによって取り付けられている。
リード弁Ｖは、通風孔３２の上方における空気の圧力が所定圧力以上に昇圧すると、（図７で示す様に）下方側に開弁する様に構成されている。
【００６３】
図５において、ケーシング７の内部は、領域Ｃ１、Ｃ２、Ｃ３とに区画されている。
区画Ｃ１は、自動開閉蓋３の上方の領域である。
区画Ｃ２は、その上端が自動開閉蓋３であり、下端が水平仕切り部７４Ｃとなっている領域である。
区画Ｃ３Ｆは、水平仕切り部７４Ｃの下方の領域である。
【００６４】
図５では、下方カバー７Ｂにおけるオゾン吹出口７３Ｂの真上の前面部７１Ｂに、側断面がコ字状のブラケット８Ｂが設けられている。
ブラケット８Ｂには、高電圧発生装置（例えば、トランス）８が取り付けられている。高電圧発生装置８は、オゾンを発生するのに必要な電流をオゾン発生装置１に供給している。
【００６５】
また、ブラケット８Ｂにおいて、下方カバー７Ｂの前面部７１Ｂ側（図５では左側）には、基盤５０を有する制御ユニット５が設けられている。
基板５０は、制御信号ライン（以下、「ライン」と記載する）Ｌｃ１で開閉駆動装置３Ｍと接続され、ラインＬｃ２で送風ファン４の駆動用のＤＣモータと接続され、ラインＬｃ３でオゾン発生装置１と接続され、電源ラインＬｅで高電圧発生装置８と接続されている。さらに基板５０は、前述したように、ラインＬ２によって、図５では図示しない自動流水器６と接続されている。
高電圧発生装置８とオゾン発生装置１とはラインＬｈで接続されている。
【００６６】
可動式ルーバー９の可動範囲は、左右方向（紙面に垂直な方向：紙面の表裏方向）については各々３０°以上であり、上下方向については、水平（０°）から斜め下方に６０°の範囲である。そして可動式ルーバー９は、この可動範囲内で左右方向及び／又は上下方向に揺動可能であり、係る揺動によってオゾンエアー放出の方向が変化する。
ここで、直接オゾンエアーと接触する可動式ルーバー９及びオゾン吹出口７３Ｂは、耐オゾン樹脂（例えば、ＡＥＳ樹脂等）を材質としていることが好ましい。もちろん、ケーシング７全体を耐オゾン樹脂で構成されることが好ましい。
【００６７】
図５では図示しない自動流水器６（図１、図２）から制御ユニットのコントロール基盤５０には、ラインＬ２を介して、各種情報（コマンドやデータ）が送られる。
係る情報に基づいて、図４で説明した制御が行われ、コントロール基盤５０から制御信号ラインＬｃ１〜Ｌｃ３を介して、必要な制御信号が、送風ファン４その他の部材へ伝達される。
【００６８】
図５において、制御ユニット５は制御盤（基盤５０）を有する形態として表現されているが、制御ユニット５としては、チップ、ボード、ブロック、その他の形態であっても良い。
また、図５において制御ユニット５は大便器用洗浄装置１０に内蔵されているが、大便器用洗浄装置１０に外付けされるタイプの制御ユニットを使用しても良い。
【００６９】
図６は、利用者がトイレを利用している際の大便器用洗浄装置１０を示している。
図６で示すように、利用者がトイレを利用している際には、芳香剤容器２の自動開閉蓋３が開放して、徐放された芳香剤が送風ファン４の正回転により生じた空気流Ｆ２、Ｆ３に連行されて、大便器用洗浄装置１０の上方の芳香剤吹出口７３Ａから放出される。
【００７０】
図６において、利用開始信号が制御ユニット５に入力されると（図４の制御フローチャートのステップＳ１１がＹＥＳ）、制御ユニット５はラインＬｃ１（図５）を介して開閉駆動装置３Ｍに制御信号を発信し、芳香剤容器２の自動開放蓋３を開放する。同時に、制御ユニット５はラインＬｃ２（図５参照）を介して、送風ファン４の駆動モータに制御信号を発信して、送風ファン４を正回転させる。
【００７１】
送風ファン４を正回転させると、ケーシング７の内部の領域Ｃ３が負圧となり、下方カバー７Ｂのオゾン吹出口７３Ｂにおける可動式ルーバー９を経由して、外気がケーシング７の内部の領域Ｃ３に流入する。その際の空気流が、図６における符号Ｆ１で示されている。
ここで、自動開閉蓋３は既に開いており、領域Ｃ２は芳香剤吹出口７３Ａに連通している。領域Ｃ３に流入した空気は、送風ファン４によって領域Ｃ３から領域Ｃ２に流入し（矢印Ｆ２で示す空気流）、上方カバー７１Ａの芳香剤吹出口からケーシング外に流出する（矢印Ｆ３で示す空気流）。
【００７２】
芳香剤容器２に貯留した芳香剤は揮発性であるので、芳香剤容器２から揮発して徐放された芳香剤Ｍは、矢印Ｆ３で示す空気流に連行されて、芳香剤吹出口７３Ａからケーシング外に放出される。
【００７３】
図７は、利用者がトイレから退室した直後にオゾンにより除菌、滅菌、消毒或いは有機物の酸化をしている状態、或いは、セルフクリーニングの際にオゾンにより除菌、滅菌、消毒或いは有機物の酸化をしている状態を示している。
図７において、オゾン発生装置（オゾナイザー）１から発生したオゾンＯ３が、送風ファン４の逆回転により生じた空気流Ｆ１１、Ｆ１２に連行され、オゾンを大量に含んだオゾンエアーとなって、可動式ルーバー９を経由して、大便器用洗浄装置１０の下方から放出される。
【００７４】
図７において、自動流水器６から利用終了信号が制御ユニット５に入力され、且つ、自動流水器６から大便或いは小便の判定信号が入力されると（図４のステップＳ１９或いはステップＳ２０）、制御ユニット５はラインＬｃ３（図５参照）を介して、オゾン発生装置１に制御信号を発信し、オゾンを発生させる。
同時に制御ユニット５は、ラインＬｃ２（図５参照）を介して送風ファン４のＤＣモータに制御信号を送り、送風ファン４を逆回転させる。送風ファン４が逆回転すると、ケーシング７内の領域Ｃ２内は負圧となり、所定の圧力以下に降圧するとリード弁Ｖが開き、通風孔３２が開放される。
【００７５】
通風孔３２が開放されると、矢印Ｆ１１で示す様に、上方カバー７Ａの芳香剤吹出口７３Ａから外気が領域Ｃ１に流入し、通風孔３２から領域Ｃ２に流入する。領域Ｃ２に流入した空気流は、矢印Ｆ１２で示す様に、送風ファン４の逆回転によって領域Ｃ３に流入する。
領域Ｃ３に流入した空気流Ｆ１２は、オゾン発生装置１で発生したオゾンＯ３を連行して、矢印Ｆ１３で示す様に、下方カバー７Ｂのオゾン吹出口７３Ｂに設けた可動式ルーバー９を経由して、ケーシング外に放出される。
【００７６】
図８を参照して第２実施形態を説明する。
図１〜図７の第１実施形態では、芳香剤の放出とオゾンエアーの放出とは、同一の送風ファン４の回転方向を、正回転と逆回転に切り換えることにより行なわれた。
これに対して、図８の第２実施形態に係る大便器用洗浄装置１０Ａでは、同一サイズの２個のファン４Ａ、４Ｂを設け、芳香剤放出に際してはファン４Ａを作動し、オゾンエアー放出の際にはファン４Ｂを作動している。
【００７７】
図８において、上方カバー７Ａと下方カバー７Ｂとの境界が符号Ｈで示されており、符号ＩＮが空気取入口を示している。ここで空気取入口１Ｎは、第１実施形態には設けられていない構成要件である。
図８で示す様に、空気取入口ＩＮの上方に芳香剤放出用のファン４Ａが配置され、空気取入口ＩＮの下方にオゾンエアー放出用のファン４Ｂが配置されている。
【００７８】
図８において、図５〜図７に比較して、高電圧発生装置８の配置がケーシングベース７Ｃのバックプレート７１Ｃ寄り（図８では右側）に移動している。
オゾン発生装置１は、高電圧発生装置８の上方配置されている。
【００７９】
芳香剤放出用のファン４Ａは、ラインＬｃ２１を介して、制御ユニット５と接続している。また、オゾンエアー放出用のファン４Ｂは、ラインＬｃ２２を介して、制御ユニット５と接続している。
【００８０】
図８において、芳香剤放出用のファン４Ａを作動した場合における空気流を、矢印Ｆａで示している。係る空気流Ｆａは芳香剤放出に関連しており、芳香剤を連行する空気流の流線を示している。
一方、図８において、オゾン放出用のファン４Ｂを作動した場合の空気流が、矢印Ｆｂで示されている。そして矢印Ｆｂは、オゾンを連行する空気流の流線を示している。
【００８１】
図８では図示を省略しているが、ケーシング７に関しては、ファンの増設に伴うファン支持部材を追加した点を除けば、図１〜図７の第１実施形態と概略同様である。
図８の第２実施形態における上記以外の構成及び作用効果については、図１〜図７の第１実施形態と同様である。
【００８２】
図９を参照して、第３実施形態を説明する。
図９において、第３実施形態に係る大便器用洗浄装置は、全体が符号１０Ｂで示されており、図８の第２実施形態と同様に、２個のファン、すなわち芳香剤放出用のファン４Ａ及びオゾンエアー放出用のファン４Ｂを使い分けている。
ただし、図９の第３実施形態では、オゾンエアー放出用のファン４Ｂを芳香剤放出用のファン４Ａに対して小型化し、且つ、オゾンエアー放出用のファン４Ｂを図８で示す位置よりも下方に配置している。
係る構成を採用することにより、空気取入口ＩＮの断面積を大きくして、大量の空気を取り入れることが可能となっている。
【００８３】
そして図９の第３実施形態では、オゾンエアー放出用ファン４Ｂの配置や寸法を変更したことにより、オゾンエアー流路を構成する仕切り壁の配置が工夫されている。なお、図８では、オゾンエアー流路を構成する仕切り壁は特に設けられていない。
【００８４】
図９において、芳香剤放出用のファン４Ａとオゾンエアー放出用のファン４Ｂとの間の領域には、高電圧発生装置８及び制御ユニット５が配置されている。
オゾンエアー放出用のファン４Ｂの前端部（図９では左端部）から可動ルーバー９の後端（図９では右端）にかけて、仕切り板７６が設けられている。仕切り板７６は、後方（図９では右方）が下がるように傾斜している。
また、ケーシングベース７Ｃのバックプレート７１Ｃにおいて、下方の所定の位置（上下方向について、仕切り板７６の下端の高さ相当位置）には仕切り板７７が設けられており、仕切り板７７は、前方（図９では左方）に向かって下降するように傾斜している。
仕切り板７６、７７の下端は、可動式ルーバー９の空気導入側（可動式ルーバー９の後端：図９では可動式ルーバー９の右端）近傍に延在している。
【００８５】
図９において、矢印Ｆａは芳香剤放出時の気体流を示し、矢印Ｆｂはオゾン放出時の気体流を示している。
図９の第３実施形態におけるその他の構成及び作用効果は、図８の第２実施形態と同様である。
【００８６】
図１０は、本発明の第４実施形態を示している。
図１０において、第４実施形態に係る大便器用洗浄装置は、全体を符号１０Ｃで示されている。
図８、図９の実施形態は、芳香剤放出用のファン４Ａと、オゾンエアー放出用のファン４Ｂとを備えているが、図１０の第４実施形態は、図１〜図７の第１実施形態と同様に、単一のファン４のみを設けている。
【００８７】
図１０において、符号Ｈは、ケーシング７の上方カバー７Ａと下方カバー７Ｂとの境界を示している。
下方カバー７Ｂの上端近傍には、空気取入口ＩＮが形成されている。空気取入口ＩＮの後方（図１０の右方）には送風ファン４が配置されており、送風ファン４の回転軸は水平方向に延在している。
送風ファン４の後方（図１０の右方）には、風向バルブ９２が設けられている。風向バルブ９２は、ケーシング７内部に導入した空気の向きを、上方或いは下方の何れかに方向転換させる機能を有しており、バックプレート７１Ｃの図示しないヒンジブラケットに回動自在に枢着されている。
【００８８】
風向バルブ９２の下方には、風向バルブ９２を駆動するアクチュエータ（例えばソレノイド）９０が、バックプレート７１Ｃに取り付けられている。
アクチュエータ９０と風向バルブ９２とは、リンクロッド９４によって接続されている。そして風向バルブ９２の向き、すなわちケーシング７内部に導入した空気の向きを上方或いは下方の何れかに方向転換するかは、リンクロッド９４を伸長、収縮することにより調節される。
アクチュエータ９０は制御ユニット５の基盤５０により制御されており、リンクロッド９４を伸長、収縮して風向バルブ９２の向きを調節し、以って、ケーシング７内部に導入した空気の向きを上方或いは下方に方向転換する。図１０において、実線で示す風向バルブ９２の状態では、空気取入口ＩＮから流入した空気Ｆ１は、下方へ方向転換されて矢印Ｆ２で示す空気流となり、図１０では図示しないオゾナイザー８側に誘導（Ｆ２）される。
【００８９】
図１０の第４実施形態におけるその他の構成及び作用効果は、図１〜図９の各実施形態と同様である。
【００９０】
図１１は本発明の第５実施形態を示している。
図１１において、第５実施形態に係る大便器用洗浄装置は、全体が符号１０Ｄで示されている。
図１〜図１０の各実施形態では、芳香剤容器２上方の部分（開口部を設けた箇所を含む）は、複数段（例えば２段）の段部（ネック）を設けて構成されている。
それに対して、図１１の第５実施形態では、芳香剤容器２Ａの開口部は、芳香剤収容部分２１に対して段部を形成していない。
そして、芳香剤容器２Ａの開口部を開閉する自動開閉蓋３Ａは、図１〜図１０の各実施形態における自動開閉蓋３の様なハット（帽子）形状をしておらず、平板状（円盤状）に構成されている。
【００９１】
図１１の第5実施形態において、自動開閉蓋３Ａの面積が大き過ぎると送風ファン４における送風面積を完全に閉鎖してしまう恐れがあるので、自動開閉蓋３Ａの代表寸法（円盤状の蓋の直径）は、例えば、ファンの羽根における回転直径の８０％程度であるのが好ましい。
なお図１１では、芳香剤容器２Ａの開口部には弁座３Ｂが設けられ、その弁座３Ｂに芳香剤が除放するための通気口３Ｂｏが形成されている。
【００９２】
図１１の第５実施形態におけるその他の構成及び作用効果は、図１〜図１０の各実施形態と同様である。
ここで、図１〜図１０の各実施形態と、図１２〜図１８を参照して後述する実施形態において、図１１の第５実施形態における平板状の自動開閉蓋３Ａを適用することが可能である。
【００９３】
次に、図１２〜図１８を参照して第６実施形態を説明する。
図１〜図１１で示す大便器用洗浄装置は、何れも、芳香剤放出という機能と、オゾン放出という機能を有している。
これに対して、図１２〜図１８の第６実施形態では、芳香剤放出の機能は選択的であり、オゾンは放出するが芳香剤は放出しないというオプションが可能である。
【００９４】
第６実施形態では、オゾンエアーを放出して大便器及びその周辺の滅菌、除菌、消毒、有機物の酸化を行なうことは必須であるが、芳香剤は利用者毎に嗜好性があり、好みの問題が大きいため必須とはしていない。
そのため、図１２で示す（第6実施形態に係る大便器用洗浄装置の）基本的な構成では、オゾンを放出する構成は具備しているが、芳香剤を放出する構成はぐびしていない。
ただし、第６実施形態においても、図１３で示すように、オゾンを放出する構成と、芳香剤を放出する構成とを併せ持つことが可能である。ただし、上述した通り、図１３で示す芳香剤を放出する構成は、第６実施形態ではあくまでもオプションであり、必須の構成ではない。
【００９５】
図１２において、第6実施形態に係る大便器用洗浄装置は、全体が符号１０Ｅで示されており、上端全面が傾斜した上方開口部７０１を有するケーシング７００と、開口部７０１を覆うオゾンのみ対応のトップカバー（以下、「丈の低いめくらキャップ」と記載する：図１４参照）７１０とを有している。
ケーシング７００の底部７０２には空気導入口７０３が形成され、ケーシング７００の前面７０４にはオゾン吹出口７０５が形成されている。
ケーシング７００の内部で、オゾン吹出口７０５の真上には、水平仕切り部７０６が形成されている。水平仕切り部７０６は、ケーシング７００の水平断面の約半分の面積を覆う様に配置され、且つ、一端が前面７０４の裏面側と接続している。そして、水平仕切り部７０６と概略面一の領域で、且つ、水平仕切り部７０６により覆われていない領域は、風向バルブ９２によって開閉される。
風向バルブ９２は、芳香剤を放出する構成を具備していない場合には、図12において実線で示す様に、常時閉鎖されている。
【００９６】
ケーシング７００の内部において、オゾン吹出口７０５に対応する位置には可動ルーバー９が設けられ、空気導入口７０３の真上には送風ファン４が配置されている。そして、送風ファン４と風向バルブ９２との間の領域には、オゾン発生装置１が公知の手段によってケーシング７００に取り付けられている。
風向バルブ９２の上方には高電圧発生装置８が配置され、その高電圧発生装置８の前方（図１２の左方）には、制御ユニット５が配置されている。
【００９７】
上述した通り、図１２で示す大便器用洗浄装置１０Ｅは、オゾン（オゾンエアー）を放出する構成は有しているが、芳香剤を放出する構成は具備していない。
これに対して、図１３において全体を符号１０Ｆで示す大便器用洗浄装置は、図１２における大便器用洗浄装置１０Ｅのケーシング７００上方に、芳香剤対応カバー（以下、「芳香キャップ」と記載する：図１４参照）７２０を配置しており、芳香キャップ７２０の内部には、芳香剤容器２、芳香剤の自動開閉蓋３、自動開閉蓋３の開閉駆動装置３Ｍ、風向バルブ９２の開閉用アクチュエータ９０が内蔵されている。そして、芳香キャップ７２０には芳香剤吹出口７２０ａが形成されている。
なお図１３において、符号９４は、アクチュエータ９０と風向バルブ９２とを接続するロッドリンクを示している。
【００９８】
図１２の状態では、前述したように、風向バルブ９２の開閉用アクチュエータ９０は設けられていないので、風向バルブ９２は閉鎖した状態のままである。
そのため図１２の状態では、オゾンエアーをトイレの下方の領域へ放出するのみであるため、風向バルブ９２を開放する必要がない。
【００９９】
それに対して、図１３の状態では、芳香剤をトイレ上方の空間に放出する場合には、開閉用アクチュエータ９０により風向バルブ９２を開放し、送風ファン４で吸い込んだ空気を、上方の芳香キャップ７２０側に移動可能にしている。
ここで図１３では、風向バルブ９２を開放する際には、芳香剤用の開閉蓋３も開放する。そして、送風ファン４で吸い込まれたエアーが芳香材容器２から徐放された芳香剤を連行し、芳香剤を連行した空気流は矢印Ｆａで示す様に、エアーは便器用洗浄装置１０Ｆの上方からトイレの上方領域へ放出される。
なお図１３において、矢印Ｆｂで示す空気流は、オゾン放出時におけるケーシング内のエアーの流れを示している。
【０１００】
ここで、図１２で示す状態の大便器用洗浄装置１０Ｅで説明した各種機器は、図１４におけるベース７００Ｂに内蔵されている。そして、図１２で示す大便器用洗浄装置１０Ｅのケーシングは、図１４のベース７００Ｂ（図１２のケーシング７００に相当）に、図１４のフロントカバー７００Ｆと、図１４で立体的に示す高さの低いメクラキャップ７１０を被せて、図１６の（１）で示す様に構成されている。
【０１０１】
一方、図１３で示す状態の大便器用洗浄装置１０Ｆのケーシングは、図１４のベース７００Ｂに、フロントカバー７００Ｆと芳香キャップ７２０とを被せて、図１５の（２）、或いは、図１６の（２）で示す様に構成されている。
図１６から明らかな様に、図１４で示す丈の低いめくらキャップ７１０を用いた大便器用洗浄装置１０Ｅ（図１２）のケーシングは、図１４の芳香キャップ７２０を用いた大便器用洗浄装置１０Ｆ（図１３）のケーシングとでは、図１６の符号δで示す寸法差が生じる。
【０１０２】
図１２で示す状態の大便器用洗浄装置１０Ｅのケーシングを、図１４におけるオゾンベース７００Ｂに図１４における丈の高いめくらキャップ７１１を被せて、図１５の（１）で示す様に構成することも可能である。
また、図１３で示す状態の大便器用洗浄装置１０Ｆのケーシングを、図１４のオゾンベース７００Ｂに図１４の芳香キャップ７２０を被せて、図１５の（２）で示す様に構成することも可能である。
そのように構成すれば、図１５で示す様に、大便器用洗浄装置１０Ｅのケーシング（図１５の（１）で示す）と、大便器用洗浄装置１０Ｆのケーシング（図１５の（２）で示す）とで、高さ方向の寸法差は生じない。その様に構成すれば、例えば、出荷時の梱包サイズを共通にすることができる。
【０１０３】
第６実施形態では、図１２で示す大便器用洗浄装置１０Ｅに対して、図１３で示す大便器用洗浄装置１０Ｆの例をオプション扱いとすることにより、製造時のオゾンベース（ケーシング）の型の共通化や、構造の簡略化が図られ、製造コストの削減にも貢献する。
【０１０４】
図１７は第６実施形態の第１変形例を示している。
図１７で示す変形例では、オゾンベース７６０Ｂに芳香剤キャップ７２５を組付ける方法が、図１２〜図１６とは異なる。
図１７において、オゾンベース７６０Ｂの上方端部の四隅部には、例えば、円形断面の凹部（孔）Ｇが形成されている。一方、芳香キャップ７２５には、オゾンベース７６０Ｂの凹部Ｇに対応する個所に、円柱状の突起Ｔが設けられている。突起Ｔは、オゾンベース７６０Ｂの凹部Ｇに嵌合して、オゾンベース７６０Ｂと芳香剤キャップ７２５とを一体化している。
【０１０５】
図１８は第６実施形態の第２変形例を示している。
図１８では、オゾン専用タイプのベース７７０Ｂに、芳香キャップに相当する部材７２７を入れ子式に嵌め込んでいる。
図１８のように、入れ子式に嵌め込む様に構成すれば、図１７の第１変形例のように、凹部Ｇと突起Ｔとを形成する必要が無くなるので、製造コストを低減することが出来る。
【０１０６】
図１２〜図１８の第６実施形態におけるその他の構成及び作用効果は、図１〜図１１の各実施形態と同様である。
【０１０７】
図示の実施形態はあくまでも例示であり、本発明の技術的範囲を限定する趣旨の記述ではない旨を付記する。
【図面の簡単な説明】
【０１０８】
【図１】本発明の第１実施形態のブロック図。
【図２】本発明の第１実施形態に係るトイレの断面図。
【図３】本発明の実施形態で用いられる自動流水器の制御フローチャート。
【図４】第１実施形態に係る大便器用洗浄装置の制御フローチャート。
【図５】第１実施形態に係る大便器用洗浄装置の断面図。
【図６】第１実施形態における芳香剤徐放時の空気流を示す断面図。
【図７】第１実施形態におけるオゾン発生時の空気流を示す断面図。
【図８】本発明の第２実施形態の断面図。
【図９】本発明の第３実施形態の断面図。
【図１０】本発明の第４実施形態の断面図。
【図１１】本発明の第５実施形態の部分断面図。
【図１２】本発明の第６実施形態の基本タイプを示す断面図。
【図１３】本発明の第６実施形態の芳香剤放出可能タイプを示す断面図。
【図１４】本発明の第６実施形態におけるオゾンベースとフロントカバーとめくらキャップと芳香剤キャップの各々を示す斜視図。
【図１５】本発明の第６実施形態において、オゾンベースと丈の高いめくらキャップとを組合せた大便器用洗浄装置と、オゾンベースと芳香剤キャップとを組合せた大大便器用洗浄装置とを比較して示す斜視図。
【図１６】本発明の第６実施形態において、オゾンベースと丈の低いめくらキャップとを組合せた大便器用洗浄装置と、オゾンベースと芳香剤キャップとを組合せた大便器用洗浄装置とを比較して示す斜視図。
【図１７】本発明の第６実施形態の第１変形例を示す斜視図。
【図１８】本発明の第６実施形態の第２変形例を示す斜視図。
【符号の説明】
【０１０９】
１・・・オゾン発生器
２・・・芳香剤収容装置／芳香剤容器
３・・・自動開閉蓋／芳香剤容器の蓋
４・・・送風ファン
５・・・制御ユニット
６・・・自動流水器
７・・・ケーシング
８・・・高電圧発生装置
９・・・可動式ルーバー
１０・・・大便器用洗浄装置
１００・・・トイレット
【図１】
2009281096.tif 000003
【図２】
2009281096.tif 000004
【図３】
2009281096.tif 000005
【図４】
2009281096.tif 000006
【図５】
2009281096.tif 000007
【図６】
2009281096.tif 000008
【図７】
2009281096.tif 000009
【図８】
2009281096.tif 000010
【図９】
2009281096.tif 000011
【図１０】
2009281096.tif 000012
【図１１】
2009281096.tif 000013
【図１２】
2009281096.tif 000014
【図１３】
2009281096.tif 000015
【図１４】
2009281096.tif 000016
【図１５】
2009281096.tif 000017
【図１６】
2009281096.tif 000018
【図１７】
2009281096.tif 000019
【図１８】
2009281096.tif 000020